(57)【要約】【課題】  微生物棲息母材と排泄物とを効率的に撹拌することができ、微生物棲息母材の分解消化作用を好適に発揮させ、消化槽の内容積を有効活用してコンパクトでかつ処理能力の高い消化槽付きトイレを提供する。【解決手段】  チップ状に形成された微生物棲息母材が収容され、攪拌羽根により微細物棲息母材とともに排泄物を撹拌して、排泄物を分解消化する消化槽付きトイレにおいて、前記消化槽２０に、２本のスクリュー軸３１、３２を並列に軸支するとともに、各々のスクリュー軸３１、３２を軸線方向に二分した一半部と他半部に、各々送り方向が互いに逆方向となる第１の螺旋羽根３１ａ、３２ａと第２の螺旋羽根３１ｂ、３２ｂとを設け、一方のスクリュー軸３１では、スクリュー軸の両端側から中央部側へ被撹拌物Ａを撹拌送りすべく、他方のスクリュー軸３２では、スクリュー軸の中央部側から両端側へ被撹拌物を撹拌送りすべく、前記２本のスクリュー軸を回転駆動する駆動機構３０、３６を設けたことを特徴とする。【選択図】          図４
2005152063.tif 000002
【特許請求の範囲】
【請求項１】
チップ状に形成された微生物棲息母材が収容され、攪拌羽根により微細物棲息母材とともに排泄物を撹拌して、排泄物を分解消化する消化槽付きトイレにおいて、
前記消化槽に、２本のスクリュー軸を並列に軸支するとともに、各々のスクリュー軸を軸線方向に二分した一半部と他半部に、各々送り方向が互いに逆方向となる第１の螺旋羽根と第２の螺旋羽根とを設け、
一方のスクリュー軸では、スクリュー軸の両端側から中央部側へ被撹拌物を撹拌送りすべく、他方のスクリュー軸では、スクリュー軸の中央部側から両端側へ被撹拌物を撹拌送りすべく、前記２本のスクリュー軸を回転駆動する駆動機構を設けたことを特徴とする消化槽付きトイレ。
【請求項２】
前記２本のスクリュー軸に、第１の螺旋羽根と第２の螺旋羽根とを同一向き、同一配置に設け、
前記駆動機構により、前記スクリュー軸を互いに逆向きに回動すべく設けたことを特徴とする請求項１記載の消化槽付きトイレ。
【請求項３】
前記２本のスクリュー軸の各々の両端に、隣接するスクリュー軸に向けて被撹拌物を移動させる方向変換羽根を設けたことを特徴とする請求項１または２記載の消化槽付きトイレ。
【請求項４】
消化槽の槽本体の底部を、前記２本のスクリュー軸が配置されている領域ごとに、第１１、第２の螺旋羽根と略同一の回転半径を有する半円筒状に設け、
前記槽本体の両側縁部近傍部分と、前記第１、第２の螺旋羽根の境界近傍部分に対応する部位に、前記半円筒状に形成された領域を山形状に仕切る部位を平坦状に連結する平坦部を設けたことを特徴とする請求項１〜３のいずれか一項記載の消化槽付きトイレ。
【請求項５】
前記一方のスクリュー軸が設けられた側の消化槽の側面に、使用後の微生物棲息母材を排出させるための排出扉を設けたことを特徴とする請求項１〜４のいずれか一項記載の消化槽付きトイレ。
【発明の詳細な説明】
【技術分野】
【０００１】
本発明は消化槽付きトイレに関し、より詳細には微生物を利用して排泄物を分解消化する消化槽付きトイレに関する。
【背景技術】
【０００２】
微生物を利用して排泄物を分解消化する消化槽を備えたトイレとして、微生物棲息母材として杉等のチップ材を使用し、消化槽中で排泄物とともに微生物棲息母材を撹拌することにより、微生物の作用によって排泄物を分解消化する製品が提供されている。このトイレは、微生物の作用によって排泄物が炭酸ガスと水とに完全に分解されることから、定期的に微生物棲息母材を交換してメンテナンスするだけで維持することができ、仮設トイレや家庭用トイレとして利用されている。
【０００３】
微生物を利用する消化するトイレでは、微生物による分解消化作用を促進させるため、消化槽内で排泄物とともに微生物棲息母材を撹拌する操作がなされる。このため、この方式によるトイレでは、消化槽内で微生物棲息母材を撹拌する撹拌機構が必須となっている。従来の撹拌機構は、撹拌羽根の回転軸を鉛直向きとし撹拌羽根を水平面内で回転させるようにしたもの（たとえば、特許文献１参照）、回転軸を水平方向とし、いわば鉛直面内で螺旋羽根を回転させるようにしたもの（たとえば、特許文献２参照）がある。
【特許文献１】特開２００１−２３１７１３号公報
【特許文献２】特開２００３−４７５７３号公報
【発明の開示】
【発明が解決しようとする課題】
【０００４】
ところで、消化槽を備えたトイレの処理能力は、消化槽の内容積によって決まるから、処理能力を大きくし、また余裕をもって排泄物を分解消化できるようにするためには、消化槽の内容積を大きくしておくことが望ましい。
しかしながら、撹拌羽根を水平面内で回転させる方式の消化槽を備えたトイレで消化槽の内容積を大きくするには消化槽の高さを高くする必要があり、通常は消化槽の上部に便器を配置する構造とするから、トイレ室の床面の位置が高くなり、仮設トイレの場合には、使用者が何段もステップを昇らなければならなかったり、床面が高いために危険であるといった問題が生じる。
【０００５】
他方、螺旋羽根を鉛直面内で回転させる方式の消化槽を備えたトイレの場合には、消化槽の内容積を大きくすると、これにともなって螺旋羽根の径を大きくする必要があり、通常は螺旋羽根の取り付け向きを回転軸の中央部側に被撹拌物が寄せられる向きに配置するから、消化槽の中央部で被撹拌物が大きな塊状になるために消化槽の高さに余裕をもたせる必要があることと、消化槽の両側縁部では谷状となって、消化槽に無効容積が生じてしまい、消化槽の内容積が十分に有効活用できないという問題があった。
【０００６】
そこで、本発明はこれらの課題を解決すべくなされたものであり、その目的とするところは、螺旋羽根を用いて微生物棲息母材を撹拌する方式による消化槽を備えたトイレで、微生物棲息母材と排泄物とを効率的に撹拌することができ、微生物棲息母材の分解消化作用を好適に発揮させるとともに、消化槽の内容積を有効活用することを可能にする消化槽付きトイレを提供するにある。
【課題を解決するための手段】
【０００７】
上記目的を達成するため、本発明は次の構成を備える。
すなわち、チップ状に形成された微生物棲息母材が収容され、攪拌羽根により微細物棲息母材とともに排泄物を撹拌して、排泄物を分解消化する消化槽付きトイレにおいて、前記消化槽に、２本のスクリュー軸を並列に軸支するとともに、各々のスクリュー軸を軸線方向に二分した一半部と他半部に、各々送り方向が互いに逆方向となる第１の螺旋羽根と第２の螺旋羽根とを設け、一方のスクリュー軸では、スクリュー軸の両端側から中央部側へ被撹拌物を撹拌送りすべく、他方のスクリュー軸では、スクリュー軸の中央部側から両端側へ被撹拌物を撹拌送りすべく、前記２本のスクリュー軸を回転駆動する駆動機構を設けたことを特徴とする。
【０００８】
また、前記２本のスクリュー軸に、第１の螺旋羽根と第２の螺旋羽根とを同一向き、同一配置に設け、前記駆動機構により、前記スクリュー軸を互いに逆向きに回動すべく設けたことを特徴とする。各々のスクリュー軸に、第１の螺旋羽根と第２の螺旋羽根とを同一向き、同一配置に設けることにより、螺旋羽根の干渉を防止して、消化槽をコンパクトに構成することが可能となる。
また、前記２本のスクリュー軸の各々の両端に、隣接するスクリュー軸に向けて被撹拌物を移動させる方向変換羽根を設けたことを特徴とする。
また、消化槽の槽本体の底部を、前記２本のスクリュー軸が配置されている領域ごとに、第１１、第２の螺旋羽根と略同一の回転半径を有する半円筒状に設け、前記槽本体の両側縁部近傍部分と、前記第１、第２の螺旋羽根の境界近傍部分に対応する部位に、前記半円筒状に形成された領域を山形状に仕切る部位を平坦状に連結する平坦部を設けたことを特徴とする。
また、前記一方のスクリュー軸が設けられた側の消化槽の側面に、使用後の微生物棲息母材を排出させるための排出扉を設けたことを特徴とする。
【発明の効果】
【０００９】
本発明に係る消化槽付きトイレによれば、螺旋羽根を装着したスクリュー軸を消化槽内に並列に２基設置する構成としたことにより、螺旋羽根の径を小さくすることができ、微生物棲息母材と排泄物とを撹拌する消化槽内の無効容積を減らして、消化槽の内容積を有効活用することが可能となる。また、消化槽の槽内で被撹拌物を一様に循環させて撹拌することが可能となり、消化槽のコンパクト化を好適に図ることが可能になると同時に、消化槽の処理能力を効率的に向上させることが可能になる。この結果、消化槽の高さを低く抑えることが可能となり、取り扱い性の良い消化槽付きトイレとして提供することが可能になる。
【発明を実施するための最良の形態】
【００１０】
以下、本発明の好適な実施の形態について、添付図面にしたがって詳細に説明する。
図１は、本発明に係る消化槽付きトイレの一実施形態である仮設トイレの斜視図、図２は仮設トイレから消化槽を引き出した状態を示す斜視図である。
本実施形態の消化槽付きトイレ１０は、図１に示すように、全体形状がボックス形に形成されたものであり、ボックス本体１２の下部に消化槽２０が設けられ、消化槽２０の上部にトイレ室が設けられた構造となっている。１４はトイレ室に出入りするためのドアである。消化槽２０の前側面にはステップ１６が１段設けられている。
【００１１】
図２に示すように、本実施形態の仮設トイレでは、消化槽２０をボックス本体１２の前面側、すなわち使用者がトイレ室に出入りする側に引き出してメンテナンス等の作業ができるように形成されている。消化槽２０をボックス本体１２から簡単に引き出すことができるようにするため、ボックス本体１２の底部にガイドレール２２を設け、消化槽２０の底部にガイドレール２２上を転動するローラ（不図示）を設けている。２１は消化槽２０の前面板であり、ステップ１６は前面板２１に固定されている。消化槽２０をボックス本体１２から引き出したり、ボックス本体１２に収納したりする操作の際にはステップ１６を使用することができる。
【００１２】
本実施形態のように、ボックス本体１２の前面側に消化槽２０を引き出して作業できるようにすることは、消化槽２０に収容されている微生物棲息母材を交換したりする作業が容易に行えるという利点がある。仮設トイレを設置する場合に、トイレの使用者の歩行スペースを確保するため、ボックス本体１２の手前側のスペースを比較的広く確保するようにして設置することは無理なく行えるから、ボックス本体１２の手前側に消化槽２０を引き出すように構成することは、たとえばボックス本体１２の裏面側に消化槽２０を引き出して作業する方法とくらべて、メンテナンス等の作業がはるかに容易に行えるという利点がある。
【００１３】
消化槽２０は、有底の箱状に形成され、上板２４の中央部に排泄物を消化槽２０に導入するための導入口２６が設けられている。導入口２６は、消化槽２０をボックス本体１２に収容した状態で、便器の排出口と平面配置位置が一致するように設けられている。
２８は導入口２６を開閉するシャッターである。シャッター２８は、使用者がたとえばペダル操作によって便器から排泄物を排出させる操作に連動して開閉し、排泄物を消化槽２０に導入するように作用する。
【００１４】
図２で、３０は消化槽２０の内部に配設された撹拌羽根を回転駆動させるための駆動モータである。駆動モータ３０は消化槽２０の側面に、ボックス本体１２と干渉しない配置に設けられている。
５０は消化槽２０に温風を吹き込み、消化槽２０内の余分な水分を排出して湿度を管理するための送風機である。送風機５０もボックス本体１２と干渉しない設けられている。１８はボックス本体１２の天板に設けた排気口である。排気口１８からは微生物の作用によって排泄物を分解消化した際に生じた水分、炭酸ガスが排出される。
４０は消化槽２０の側面に設けられた排出扉である。この排出扉４０は消化槽２０に収容されている微生物棲息母材を交換したりするメンテナンスの際に、消化槽２０の側面を開放して消化槽２０から微生物棲息母材を排出させる場合に使用する。排出扉４０は消化槽２０の側面の前後方向の略中央部に設けられている。
【００１５】
次に、消化槽２０の内部に配置される撹拌羽根の構成とその作用について説明する。
前述したように、微生物棲息母材を用いて排泄物を分解消化する消化槽２０内には、微生物棲息母材と排泄物とを撹拌する撹拌手段が設けられている。
図３は、本実施形態の消化槽付きトイレに設置されている消化槽２０の内部構成を示す斜視図であり、図４は消化槽２０に設置されている撹拌羽根の平面配置を示す消化槽２０の平面図である。
【００１６】
本実施形態の消化槽付きトイレにおいて特徴的な構成は、図４に示すように消化槽２０の槽本体２０ａに、槽本体２０ａの対向する側面間に掛け渡すように、２本のスクリュー軸３１、３２を並列させて軸支し、各々のスクリュー軸３１、３２に、撹拌羽根として送り方向が互いに逆方向となる２つの螺旋羽根を、スクリュー軸３１、３２を軸線方向に二分して配置したことにある。すなわち、スクリュー軸３１には、スクリュー軸３１を軸線方向に二分した一半部に第１の螺旋羽根３１ａが固定され、他半部に第２の螺旋羽根３１ｂが固定されている。また、スクリュー軸３２には、スクリュー軸３２を軸線方向に二分した一半部に第１の螺旋羽根３２ａが固定され、他半部に第２の螺旋羽根３２ｂが固定されている。
【００１７】
螺旋羽根はスクリュー軸とともに回転することによって、スクリュー軸の軸方向に被撹拌物を撹拌送りする作用をなす。本実施形態において、第１の螺旋羽根３１ａ、３２ａと、第２の螺旋羽根３１ｂ、３２ｂの螺旋の向きを逆向きとしているのは、スクリュー軸の回転方向によって、スクリュー軸の中央部から両端側に向けて被撹拌物を撹拌送りするか、スクリュー軸の両端側から中央部側へ被撹拌物を撹拌送りするか選択できるようにするためである。
【００１８】
本実施形態では、スクリュー軸３１、３２の回転方向を、図３に示す矢印の方向（スクリュー軸３１とスクリュー軸３２とは回転方向が逆）に設定し、一方のスクリュー軸３１については、第１の螺旋羽根３１ａと第２の螺旋羽根３１ｂの作用によってスクリュー軸３１の両端側から中央部側に被撹拌物を撹拌送りするようにし、スクリュー軸３２については、第１の螺旋羽根３２ａと第２の螺旋羽根３２ｂの作用によってスクリュー軸３２の中央部側から両端側に被撹拌物を撹拌送りするようにしている。
【００１９】
図３に示すように、槽本体２０ａの外側面から突出するスクリュー軸３１、３２の端部にはスプロケット３３、３４が固定され、中間スプロケット３５を介して駆動モータ３０の出力軸３０ａとこれらスプロケット３３、３４との間にチェーン３６が掛け渡されている。中間スプロケット３５はスクリュー軸３１、３２の回転方向を逆向きとするために設けられている。駆動モータ３０により、図３の矢印の向きにチェーン３６を循環駆動させることによって、スクリュー軸３１、３２は上述した向きに回転駆動される。本実施形態では、駆動モータ３０、スプロケット３３、３４、中間スプロケット３５およびチェーン３６等が駆動機構を構成する。、
【００２０】
なお、螺旋羽根によって被撹拌物を撹拌送りする作用は、螺旋羽根の向きとスクリュー軸の回転方向によって定まる。本実施形態では螺旋羽根の取り付け向きをスクリュー軸３１、３２で同一にしたため、図３に示す向き（逆向き）にスクリュー軸を回転したが、たとえばスクリュー軸３２に設ける螺旋羽根３２ａ、３２ｂの向きを上記実施形態の向きと逆向きにすれば、スクリュー軸３２の回転方向をスクリュー軸３１の回転方向と同方向とすることによって、上述したと同様の撹拌送りを行うことができる。
【００２１】
また、スクリュー軸３１、３２の両端には十字状に、平板羽根からなる方向変換羽根３７が取り付けられている。この方向変換羽根３７は槽本体２０ａの内側面に摺接するようにスクリュー軸３１、３２に固定されている。この方向変換羽根３７は、槽本体２０ａの内側面に付着する被撹拌物を削り落とすようにして撹拌作用をなすとともに、隣接するスクリュー軸３１、３２に向けて被撹拌物を送る作用をなす。
【００２２】
図５は、槽本体２０ａの断面図を示す。図のように、槽本体２０ａの底部は、スクリュー軸３１、３２が配置されている領域ごとに、第１、第２の螺旋羽根３１ａ、３１ｂ、３２ａ、３２ｂの回転半径と略同一の回転半径を有する半円筒状に形成されている。槽本体２０ａの底部を第１、第２の螺旋羽根３１ａ、３１ｂ、３２ａ、３２ｂの配置位置に合わせて半円筒状に形成しているのは、各々の螺旋羽根が配置されている領域の中間を仕切り状に形成して、被撹拌物が各々の領域で軸線方向に移動されやすくすること、槽本体２０ａの底部側に滞留する被撹拌物が螺旋羽根によって掻き上げられて微生物棲息母材と排泄物とが効率的に撹拌されるようにするためである。
【００２３】
なお、隣接して配置された半円筒状の槽本体２０ａの底部に、両側の半円筒部間で被撹拌物を移動しやすくするための平坦部３８を設けている。平坦部３８は、図５に示すように、半円筒部間に山形の仕切り状に設けた部位を平坦状に連結するように形成したものである。図４に示すように、平坦部３８は槽本体２０ａの両側縁部近傍部分と、第１の螺旋羽根３１ａ、３２ａと第２の螺旋羽根３１ｂ、３２ｂとの境界近傍部分の３個所に設けられている。
【００２４】
図６は、本実施形態の消化槽２０で微生物棲息母材と排泄物とが撹拌される作用を説明する説明図である。
上述したように、本実施形態においては、スクリュー軸３１、３２に取り付けられている第１の螺旋羽根３１ａ、３２ａと第２の螺旋羽根３１ｂ、３２ｂの向きおよび取り付け位置をまったく同一にする一方、スクリュー軸３１、３２の回転方向を逆向き（図３に示す矢印の向き）としたことによって、図６に示す矢印方向に被撹拌物が撹拌送りされることになる。
【００２５】
すなわち、スクリュー軸３２においては、第１の螺旋羽根３２ａと第２の螺旋羽根３２ｂがともに、微生物棲息母材と排泄物とが混じり合った被撹拌物Ａをスクリュー軸３２の外向きにに撹拌送りするように作用し、スクリュー軸３１においては、第１の螺旋羽根３１ａと第２の螺旋羽根３１ｂがともに、被撹拌物をスクリュー軸３１の内向きに撹拌送りする。
この結果、被撹拌物は、図６に示すように、スクリュー軸３１では外側から内側へ、スクリュー軸３２では内側から外側へと撹拌送りされ、スクリュー軸３１とスクリュー軸３２との間で被撹拌物が移り変わるようにして撹拌送りされるようになる。
【００２６】
図６で、スクリュー軸３２上で第１の螺旋羽根３２ａは、Ｐ１点からＰ２点へ向けて被撹拌物を撹拌送りし、Ｐ２点に至った被撹拌物は、方向変換羽根３７の作用とともにスクリュー軸３１のＰ５点に送られる。Ｐ５点に送られた被撹拌物は、スクリュー軸３１上の第１の螺旋羽根３１ａの作用によりＰ５点からＰ４点に撹拌送りされ、スクリュー軸３１の中央部に寄せ集められた被撹拌物はスクリュー軸３１の中央部に寄せ集められた圧力によって再びＰ１点に移動する。
【００２７】
この第１の螺旋羽根３１ａ、３２ａの作用によって生じる被撹拌物の送り経路は、Ｐ１→Ｐ２→Ｐ５→Ｐ４→Ｐ１という循環経路であり。被撹拌物は、槽本体２０ａでスクリュー軸３１が配置されている領域とスクリュー軸３２が配置されている領域との間を循環して移動することになる。槽本体２０ａの底部には、循環経路に平坦部３８が形成されているから、２領域間で被撹拌物が移動する際に平坦部３８を介して容易に被撹拌物が移動するようになる。
【００２８】
また、スクリュー軸３２上で第２の螺旋羽根３２ｂは、Ｐ１点からＰ３点へ向けて被撹拌物を撹拌送りし、Ｐ３点に至った被撹拌物は、方向変換羽根３７の作用とともにスクリュー軸３１のＰ６点に送られる。Ｐ６点に送られた被撹拌物は、スクリュー軸３１上の第２の螺旋羽根３１ｂの作用によりＰ６点からＰ４点に撹拌送りされ、スクリュー軸３１の中央部に撹拌送りされた被撹拌物は、撹拌圧力によって再びＰ１点に移動する。
スクリュー軸３１上では、第１の螺旋羽根３１ａと第２の螺旋羽根３１ｂの作用によって軸線方向の中央部に被撹拌物が集められてくる。したがって、スクリュー軸３１の中央部では被撹拌物に圧縮圧力が加わることになり、この圧縮圧力により平坦部３８を介して被撹拌物がスクリュー軸３２側へ移動するようになる。
【００２９】
この第２の螺旋羽根３１ｂ、３２ｂの作用によって生じる被撹拌物の送り経路は、Ｐ１→Ｐ３→Ｐ６→Ｐ４→Ｐ１という循環経路であり、本実施形態の消化槽２０では、第１の螺旋羽根３１ａ、３２ａによる循環経路と、第２の螺旋羽根３１ｂ、３２ｂによる循環経路との２系統の循環経路によって消化槽２０内で被撹拌物が撹拌送りされることになる。これにより、消化槽２０内できわめて効率的に被撹拌物が撹拌されるとともに、被撹拌物が局所的に塊状となることがなく、消化槽２０の全体で均等に撹拌送りされるようになる。この結果、本実施形態の消化槽付きのトイレにおいては、消化槽２０をコンパクトに形成しても消化槽２０の無効容積がなく、効率的な撹拌操作が可能となり、微生物棲息母材による排泄物の分解消化作用を効果的に行うことが可能となり、小型で分解消化能力の高いトイレとして提供することが可能になる。
【００３０】
以上説明したように、本発明に係る消化槽付きトイレは、従来の装置にくらべて消化槽２０をコンパクトに形成することができ、図１に示すような仮設トイレに利用することで、消化槽２０をボックス本体１２の前面側に引き出してメンテナンスするといった作業を容易に行うことが可能となり、取り扱いやすい消化槽付きのトイレとして提供することが可能になる。また、消化槽２０の高さを低くできることから、トイレ室の設置高さを低くでき、使い勝手がよく、安全なトイレとして提供することが可能になる。本発明に係る消化槽付きトイレによれば、従来の消化槽付きトイレと同一の処理能力の場合で消化槽の内容積を７０％程度まで減少させることができる。
また、家庭用の据え付け型のトイレとして利用する場合も、消化槽２０の処理能力が向上したことにより、多人数で使用しても処理能力として十分な余裕のある装置として形成することができる等の利点がある。
【００３１】
なお、消化槽２０に収容した微生物棲息母材の作用が劣化して、微生物棲息母材を新しいチップ材に交換する際には、スクリュー軸３１、３２を回転させた状態で排出扉４０を開くことによって、消化槽２０内の微生物棲息母材を排出扉４０から排出させることができる。本実施形態ではスクリュー軸３１、３２を回転駆動させると、被撹拌物はどちらの循環経路の場合も、Ｐ４点に集まってくるから、Ｐ４点に移動してきた微生物棲息母材は排出扉４０が開放されていることによってそのまま消化槽２０の外部に押し出される。Ｐ４点では、両側から被撹拌物に圧縮圧力が作用し、この圧力が微生物棲息母材を排出する作用に寄与する。こうして、排出扉４０を開放し、一定時間スクリュー軸３１、３２を回転駆動させることによって、消化槽２０内の微生物棲息母材を自動的に消化槽２０から取り出すことができ、この点においても取り扱いやすいトイレとして提供することが可能となる。
【００３２】
また、上記実施形態においては、撹拌物を撹拌送りする方向が常時、図６に示す矢印の方向となるように消化槽２０内で被撹拌物を撹拌しているが、スクリュー軸３１、３２の回転方向を一定時間ごとに逆向きになるように設定することによって、図６に示す撹拌送りによる撹拌操作と図６に示す矢印の向きと逆向きの撹拌操作を併用して被撹拌物を撹拌するように制御することもできる。本実施形態では、スクリュー軸３１、３２に取り付けられている螺旋羽根の向きがまったく同一であるから、スクリュー軸３１、３２の回転方向を変えるだけで、図６に示す撹拌送りと逆向きの撹拌送り操作を行うことが可能である。
【図面の簡単な説明】
【００３３】
【図１】本発明に係る消化槽付きトイレの一実施形態としての仮設トイレの正面図である。
【図２】ボックス本体から消化槽を引き出した状態を示す斜視図である。
【図３】消化槽の内部構成を示す斜視図である。
【図４】消化槽内における撹拌羽根の平面配置を示す平面図である。
【図５】消化槽の断面図である。
【図６】消化槽内で被撹拌物を撹拌送りする作用を示す説明図である。
【符号の説明】
【００３４】
１０  消化槽付きトイレ
１２  ボックス本体
１８  排気口
２０  消化槽
２０ａ  槽本体
２６  導入口
２８  シャッター
３０  駆動モータ
３１、３２  スクリュー軸
３１ａ、３２ａ  第１の螺旋羽根
３１ｂ、３２ｂ  第２の螺旋羽根
３７  方向変換羽根
３８  平坦部
４０  排出扉
５０  送風機
【図１】
2005152063.tif 000003
【図２】
2005152063.tif 000004
【図３】
2005152063.tif 000005
【図４】
2005152063.tif 000006
【図５】
2005152063.tif 000007
【図６】
2005152063.tif 000008